(57)【要約】【課題】ポケット等の衣服その他に筆記具を保持させるクリップにおいて、クリップの挟着力を簡単に変化できるようにした筆記具のクリップを提供する。【解決手段】本体１の外面にバネホルダー１１の基端を枢着する。このバネホルダーにはクリップ１６が揺動可能に取り付けられる。クリップとバネホルダー間には、クリップの先端を本体の外面に弾性的に押し付けるようばね１９が設けられている。バネホルダーの先端下面には、本体に回転可能に取り付けた回転筒８が接している。回転筒の外面には、回転筒を回転させた際、上記バネホルダー１１を介して上記クリップ１６の支点を押し上げるよう押圧面２３が形成されている。【選択図】図１
2010036503.tif 000002
【特許請求の範囲】
【請求項１】
本体に揺動可能にバネホルダーの基端を枢着すると共に該バネホルダーに揺動可能にクリップを取り付け、クリップの先端が本体の外周に弾性的に接する方向に該クリップを付勢するようバネホルダーの先端とクリップ間にばねを設け、上記本体に上記バネホルダーの下面に接して回転するよう回転筒を設け、該回転筒を回転した際、上記バネホルダーを介してクリップの支点を押し上げるよう上記バネホルダーに接する回転筒の外面に中心からの距離が次第に変化する弧状の押圧面を形成した筆記具のクリップ。
【請求項２】
上記バネホルダーは先端下面に押圧突起を有し、上記回転筒には該押圧突起が入り込む溝が形成され、溝底には上記押圧面が形成されている請求項１に記載の筆記具のクリップ。
【請求項３】
上記回転筒は本体の後部に設けられた尾栓である請求項１または２に記載の筆記具のクリップ。
【請求項４】
上記尾栓には本体内に収納されたリフィールをノック操作で繰り出すためのノックが挿通しており、該ノックは上記尾栓に長手方向に移動可能で回転方向には回転不能に連結している請求項３に記載の筆記具のクリップ。
【発明の詳細な説明】
【技術分野】
【０００１】
本発明は、筆記具のクリップに係り、特にクリップの挟着力を簡単に変えられるようにした筆記具のクリップに関するものである。
【背景技術】
【０００２】
筆記具には、ポケットやかばん等の被挟着物に挟着して簡単に携行できるようにクリップが設けられている。しかし、一般にこれらのクリップは挟着力が一定のため、被挟着物の厚さにより確実に止着できず、簡単に抜け落ちるようなことがあったり、挟着力が強すぎて使いずらいことがあった。そのため、挟着力を衣服等の厚みに応じて変化できるようにしたクリップを提案されている（例えば特許文献１参照）。しかし、特許文献１に記載のクリップは構造が複雑で組み立ても面倒であり、挟着力の変更や調節も容易でない。
【特許文献１】実公昭５０−１０８３１号公報（実用新案登録請求の範囲、図面）
【発明の開示】
【発明が解決しようとする課題】
【０００３】
本発明の解決課題は、ポケットや衣服等の被挟着物の厚さに応じて挟着力を容易に変更でき、構成が簡単で経済的に得られ、挟着力の調整も容易な筆記具のクリップを提供することである。
【課題を解決するための手段】
【０００４】
本発明によれば、本体に揺動可能にバネホルダーの基端を枢着すると共に該バネホルダーに揺動可能にクリップを取り付け、クリップの先端が本体の外周に弾性的に接する方向に該クリップを付勢するようバネホルダーの先端とクリップ間にばねを設け、上記バネホルダーの下面に接して回転するよう上記本体に回転筒を設け、該回転筒を回転した際、上記バネホルダーを介してクリップの支点を押し上げるよう上記バネホルダーに接する回転筒の外面に中心からの距離が次第に変化する弧状の押圧面を形成した筆記具のクリップが提供され、上記課題が解決される。
【発明の効果】
【０００５】
本発明は、上記のように構成され、バネホルダーの基端を揺動可能に本体に枢着すると共に該バネホルダーに揺動可能にクリップを取り付け、クリップの先端が本体の外周に弾性的に接する方向に該クリップを付勢するようバネホルダーの先端とクリップ間にばねを設け、上記本体にバネホルダーの下面に接して回転する回転筒を設け、該回転筒を回転した際、上記バネホルダーを介してクリップの支点を押し上げるよう上記バネホルダーに接する回転筒の外面に中心からの距離が次第に変化する弧状の押圧面を形成したから、上記回転筒を回転するとバネホルダーの先端が押し上げられ、クリップの支点が上昇してクリップの挟着力を強くすることができる。また、上記回転筒を逆に回転すれば、クリップの支点が降下して挟着力を弱くすることができ、最適な挟着力が得られる。
【０００６】
また、上記回転筒を筆記具の尾栓とし、リフィールを繰り出すためのノックを該尾栓に回転不能状態で挿通させれば、本体の後端から突出するノックを回転して簡単に回転筒を回転させることができ、クリップの調整操作が一層容易である。
【発明を実施するための最良の形態】
【０００７】
本発明は種々の筆記具に適用することができるが、図１、図２には、本発明をノック式筆記具に適用した一実施例が示されている。公知のように、軸筒を形成する本体１内にはリフィール２が収納され、リフィールの後端を支持するリフィールホルダー３と本体１の内段部４間には該リフィールホルダー３を後方に付勢するノックスプリング５が設けられている。上記リフィールホルダー３の後部には環状の受溝２６と係止部２７が形成され、本体１の後方から突出するようノック６を挿し込み、該ノックの内面に形成した環状隆起部２８を上記受溝２６に係合すると共に上記係止部２７の一部をノックに形成した孔２９に入り込ませて回転可能に連結している。該ノック６をノック操作すれば、公知のようにリフィール２の先端を先端チップ７から突出させて筆記可能にしたり、没入させて収納することができる。なお、リフィールの繰り出し機構としては、その他公知の種々のノック機構や回転式繰り出し機構等に形成することができるし、サイドノック式繰り出し機構でもよい。また、図に示すようなボールペンの他、万年筆、シャープペンシル、蛍光ペン、マーカー等の筆記具や化粧用具その他クリップを使用する各種製品の適宜部位を本体としてもよい。
【０００８】
上記本体１の後端には、回転筒８が抜けどめ状態で回転可能に設けられ、図に示す実施例では該回転筒は筆記具の尾栓を構成している。そして、該回転筒８の内面には長溝９が対向状態に形成され、上記ノック６の外周にも案内突起１０が対向状態に設けられ、該案内突起１０を長溝９にそれぞれ係合させることにより、ノックを回転筒の長手方向に移動可能で周方向には回転不能にしている。これにより上記ノック６を回転すると上記尾栓は回転し、ノックをノック操作して長手方向に移動させるとリフィールの先端を突出させたり、没入させることができる。
【０００９】
上記本体１の側面にはバネホルダー１１の基端が揺動可能に枢着されている。図に示す実施例では、本体１に取付軸１２を形成し、バネホルダー１１の基端に嵌合部１３を設け、該嵌合部１３を取付軸１２に嵌着してバネホルダー１１の支点１１ａとしている。なお、バネホルダーの基端に側方に突出する取付軸を設け、本体に嵌合部を設けて嵌着するようにしたり、バネホルダーと本体に取付孔を設け、別体に形成した取付軸を取付孔に連通させてもよい（図示略）。上記本体１には、バネホルダー１１の先端が本体に近接しているときバネホルダーの後端に対向するよう外周突起１４が設けられている。該バネホルダー１１の両側には、上方に対向状態で起立する支持板１５があり、該支持板１５に揺動可能にクリップ１６を取り付けてある。該クリップ１６と支持板１５の連結構造は、図に示すものでは、支持板１５に取付孔１７を設け、この取付孔１７にクリップ１６の内方に形成した取付軸１８を嵌着してクリップ１６の支点１６ａとしてあるが、支持板に取付軸を設け、クリップに取付孔を設けて両者を嵌め合わせたり、支持板１５とクリップ１６の両方に取付孔を設け、別体に設けた取付軸を連通させて連結してもよい（図示略）。
【００１０】
バネホルダー１１の先端とクリップ１６間には、クリップ１６の先端が本体１の外周に弾性的に接する方向に該クリップ１６を付勢するようばね１９が設けられている。該ばね１９は略Ｓ字状の板ばねで構成され、一端を上記バネホルダー１１に形成した受溝２０に挿入し、他端をクリップ１６の裏面に当接させてクリップ１６を付勢している。板ばねに代えてトーションばね等のばねを用いることもできる（図示略）。
【００１１】
上記バネホルダー１１の先端下面には押圧突起２１が形成され、上記回転筒（尾栓）８には該押圧突起２１が入り込む溝２２が形成され、該溝２２の底には、上記バネホルダー１１の先端を押し上げるよう押圧面２３が形成されている。そして、上記回転筒を回転した際、上記バネホルダー１１を介して上記クリップ１６の支点１６ａを押し上げできるよう該押圧面２３は回転筒８の回転中心からの距離が次第に変化する弧状（略螺旋状）の曲面に形成されている。
【００１２】
また、図４、図５に示すように、上記本体１の後端の適宜位置に上記回転筒８の回転位置を示す表示２４として「通常荷重」、「パワーロック」等の文字や適宜の標識を設け、上記回転筒（尾栓）８若しくはノック６にはこの表示を指示するよう矢印表示２７を設けておけば、クリップ１６がどのような状態になっているのかが一見して分かり、使いやすい。
【００１３】
上記の構成により図１に示すようにバネホルダー１１の押圧突起２１が回転筒８の押圧面２３の深い部分に接しているときは、クリップ１６の支点１６ａと本体の中心軸間の距離Ａは、最短距離となっていて、通常のバネ圧でポケット等の被挟着物に挟着することができる。
【００１４】
上記ノック６を回転し、図２に示す状態にすると、上記クリップ１６の支点１６ａは、バネホルダー１１の支点１１ａを中心として押し上げられ、クリップ１６の支点１６ａと本体の中心軸間の距離Ａは、最大距離となって上記ばね１９は圧縮されて挟着力が最大のパワーロック状態になり、被挟着物に大きな力で挟着することができる。また、図１と図２の中間位置にすれば、挟着力を適宜に変化させることができる。
【００１５】
上記実施例では、筆記具の軸筒を本体としたが、筆記具等のキャップを本体としてクリップを設けたり、上述したようにその他適宜の物品を本体としてクリップを設けてもよい。また、回転筒は、上記実施例では尾栓を兼ねノックで回転するようにしているが、ノックを用いず回転筒を直接回転するようにしたり、軸筒の中間部等に適宜の回転筒を設けてもよいし、完全な筒状ではない適宜形状の操作片を設けてバネホルダー移動する回転筒としてもよい。
【図面の簡単な説明】
【００１６】
【図１】本発明の一実施例を示し、クリップの挟着力が通常状態の断面図。
【図２】クリップの挟着力がパワーロック状態の断面図。
【図３】本体にバネホルダーを取り付ける状態を示す参考図。
【図４】クリップの挟着力が通常状態であることを表示する説明図。
【図５】クリップの挟着力がパワーロック状態であることを表示する説明図。
【符号の説明】
【００１７】
１  本体
２  リフィール
６  ノック
８  回転筒（尾栓）
１１  バネホルダー
１１ａ  バネホルダーの支点
１５  支持板
１６  クリップ
１６ａクリップの支点
１９  ばね
２１  押圧突起
２３  押圧面
【図１】
2010036503.tif 000003
【図２】
2010036503.tif 000004
【図３】
2010036503.tif 000005
【図４】
2010036503.tif 000006
【図５】
2010036503.tif 000007